(57)【要約】【課題】  盗難防止、紛失防止、紛失物確認に貢献することのできる測量装置を提供する。【解決手段】  本発明の測量装置１は、スイッチの操作に連動して記憶部２４に記憶されている特有の表示形態を予め表示部１１に表示させかつ表示してから所定時間経過後に測量可能状態に移行させる表示制御手段２０を有する。【選択図】  図２
2005351834.tif 000002
【特許請求の範囲】
【請求項１】
スイッチの操作に連動して記憶部に記憶されている特有の表示形態を予め表示部に表示させかつ表示してから所定時間経過後に測量可能状態に移行させる表示制御手段を有することを特徴とする測量装置。
【請求項２】
前記表示制御手段は、測量作業を休止する休止スイッチの操作により、前記表示形態を前記表示部に表示させることを特徴とする請求項１に記載の測量装置。
【請求項３】
前記表示形態が担当者又は使用者若しくは所有者を想起させる標識であることを特徴とする請求項１に記載の測量装置。
【請求項４】
前記表示形態が担当者又は使用者若しくは所有者を想起させる画像であることを特徴とする請求項２に記載の測量装置。
【発明の詳細な説明】
【技術分野】
【０００１】
本発明は、盗難防止、紛失防止、紛失物確認に貢献することのできる測量装置に関する。
【背景技術】
【０００２】
近時、測量装置の分野では、電子化が進展し、表示部にメンテナンス時期を知らせるためにメンテナンス情報を表示させる等、電子情報財を組み込んだものが開発されつつある（例えば、特許文献１参照。）。
【特許文献１】特開２００２−３６５０５２号公報
【発明の開示】
【発明が解決しようとする課題】
【０００３】
ところで、その測量装置は、専門業者や大手・土木会社が使用し、高価なものでもあるため、一般にはなじみが薄く、現場作業において盗難の被害に遭うということは滅多に考えられなかったことであるが、近時は、一般への普及も進み、盗難の被害に遭うという機会も増えつつある。
【０００４】
特に、近時の測量装置では、更なる電子化が進展し、測角機能、測距機能に加えて、測量手順を組み込んだ測量プログラム等が搭載され、より高精度化すると共により一層便利に使用できるようになりつつあり、より一層高価なものとなって、盗難の被害に合ったときの金銭的損失が大きい。
【０００５】
更に、大規模な共同工事の現場では、多数の業者が同時に参画して測量作業、工事を行うため、同種の性能を有する測量装置、類似の性能を有する測量装置を持参する場合があり、盗難とまではいえないまでも、管理不十分で他の業者の測量装置に紛れる等して紛失したときに、自分のものであるのかどうかの確認に手間取るという問題もある。
【０００６】
もちろん、従来でも、測量装置そのものに刻印、刻設、印刷されている製造番号、製品番号等を管理帳簿にあらかじめ控えて記載しておく等の管理は行っているが、記載忘れということもあり得ることであり、また、その製造番号、製品番号等が読み取りにくくなっていたりすると、確認し難いという不都合がある。
【０００７】
本発明は、上記の事情に鑑みて為されたもので、その目的とするところは、盗難防止、紛失防止、紛失物確認に貢献することのできる測量装置を提供することにある。
【課題を解決するための手段】
【０００８】
請求項１に記載の測量装置は、スイッチの操作に連動して記憶部に記憶されている特有の表示形態を予め表示部に表示させかつ表示してから所定時間経過後に測量可能状態に移行させる表示制御手段を有することを特徴とする。
【０００９】
請求項２に記載の測量装置は、前記表示制御手段は、測量作業を休止する休止スイッチの操作により、前記表示形態を前記表示部に表示させることを特徴とする。
【００１０】
請求項３に記載の測量装置は、前記表示形態が担当者又は使用者若しくは所有者を想起させる標識であることを特徴とする。
【００１１】
請求項４に記載の測量装置は、前記表示形態が担当者又は使用者若しくは所有者を想起させる画像であることを特徴とする。
【発明の効果】
【００１２】
請求項１に記載の発明によれば、スイッチの操作に連動して記憶部に記憶されている特有の表示形態が表示されるので、紛失予防を図ることができ、紛失した場合でもこの特有の表示形態を確認することにより、紛失物の確認を行うことができる。
【００１３】
請求項２〜請求項４に記載の発明によれば、盗難防止、紛失防止、紛失物確認をより一層確実に図ることができる。
【００１４】
とりわけ、請求項４に記載の発明によれば、測量装置の特定がより一層簡便になる。
【発明を実施するための最良の形態】
【００１５】
以下に、本発明に係わる測量装置の発明の実施の形態を図面を参照しつつ説明する。
【実施例】
【００１６】
図１に示すように、測量機１は三脚３の脚頭４に設置される。測量機１は整準機能を有する基盤部５、この基盤部５に鉛直軸心を中心に回転自在に設けられた托架部６、この托架部６に水平軸心を中心に回転自在に設けられた望遠鏡部７から概略構成されている。
【００１７】
測量機１を設置する場合、基盤部５に設けられている整準ネジ１０を回し、基盤部５の上面にある円形気泡管１６の気泡が中心に位置するように基盤部５の姿勢を調整する。
【００１８】
托架部６の下部には操作部８が設けられ、その托架部６の側部には測量装置１を作動させるメインスイッチとして機能するスイッチ２が設けられている。その操作部８は表示部１１、所要数の押しボタンからなる操作入力部１２から構成されている。操作部８は作業者に見やすいように操作面、表示面がやや上向きになっている。
【００１９】
測量機１は、測量者が持ち運び使用することを前提としており、小型軽量に製作されている。このため、操作部８は限られたスペースに設けられ、この操作部８の構成自体も省スペース化が図られ、操作入力部１２は押しボタンの数を少なくするため、ファンクションキーでボタンの機能を切り換え、１つのキーで複数の操作が重複してできるようになっている。その操作入力部１２には、測量作業を休止するための休止スイッチとして機能する休止ボタン１２Ａが設けられている。
【００２０】
表示部１１の表示も小さい面積で効果的な表示ができるように、表示内容毎に画面の切り換えを行うことができるようになっている。すなわち、測量機１の測量結果、測角値、測距値の表示の他に、表示画面の切り換えにより、選択したモードの設定、バッテリの残量等の表示が為される。
【００２１】
測量機１は可動部、駆動部を有する機械部分、電力供給を行う電気回路部分等から構成され、機械部分は機械モジュール、電気部分は電気回路モジュールから構成されている。
【００２２】
図２はその測量機１のモジュール構成を示すブロック図であって、この図２において、２０は演算制御部、２２は測角部、２３は測距部、２４は記憶部、２５はデータ入出力部である。
【００２３】
演算制御部２０は、表示部１１を測量画面表示モードと表示形態表示画面モードとに切り換える機能を有し、その測量画面表示モードにおいて、測量作業を実行可能状態にする。
【００２４】
演算制御部２０は、その測量画面表示モードにおいて、測角部２２に測角指令を出力し、測角部２２は鉛直角エンコーダ２６からのパルス出力、水平角エンコーダ２７からのパルス出力が入力され、測角部２２はそのパルス出力をカウントすることにより水平角、垂直角を演算する。測角部２２はその測位結果を演算制御部２０に向かって出力する。
【００２５】
演算制御部２０は同様に測距部２３に測距指令を出力し、測距部２３は発光部２８を発光制御し、測定光を測定対象に向けて照射し、測定対象からの反射光を受光部２９により受光し、その受光結果に基づき、測定対象までの距離を測距する。測距部２３はその測距結果を制御演算部２０に出力する。
【００２６】
記憶部２４は例えば読み出し専用のＲＯＭ２４Ａと読み書き可能なＲＡＭ２４Ｂとから構成され、測量プログラム等のプログラムは例えばＲＯＭ２４Ａに記憶されている。制御演算部２０は操作入力部１２からの操作に基づいてＲＯＭ２４Ａから必要なプログラムを読み取って、操作に応じた処理を実行する。ＲＡＭ２４Ｂには表示形態を表示部１１に表示させるためのデータが組み込まれているが、これについては後述する。
【００２７】
表示部１１は、既述したようにその測量作業に応じて、垂直角、水平角、測定対象までの距離等を画面に表示する。
【００２８】
データ入出力部２５は、後述する表示形態に関するデータを制御演算部２０に入力するのに用いられる。
【００２９】
演算制御部２０はスイッチ２の操作に連動して記憶部２４に記憶されている特有の表示形態を予め表示部１１に表示させかつ表示してから所定時間経過後に測量可能状態に移行させる表示制御手段としての機能を併せて有する。
【００３０】
ここで、特有の表示形態とは、図３（ａ）に示す製造会社のシンボルを表示するロゴマークＸ１、又は、図３（ｂ）に示す販売会社のシンボルを表示するロゴマーク、又は、図３（ｃ）に示す購入者側の会社名のシンボルを表示するロゴマークＸ３等をいい、必要に応じて、所属部署名、電話番号等の文字を含んだものをいう。また、この表示形態は、担当者又は使用者若しくは所有者を想起させる標識又は画像であっても良い。
【００３１】
これらの特有の表示形態を組み込んでおけば、紛失したとき、盗難の被害にあったとき、紛失物の確認する際に画面上で確認できて便利であり、また、その測量機の使用者、所有者に特有の表示形態であるため、盗難防止にも一定の効果があるものと考えられる。
【００３２】
なお、画像表示機能に関するオペレーションプログラム（ＯＳ）には、例えば、Windows（登録商標）を用いれば良い。
【００３３】
その表示形態に関するデータは、データ入出力部２５を介して演算制御部２０に入力される。入力に際しては、ＩＤとパスワードを用いて行う。表示形態に関するデータのセキュリティ対策（セキュリティロック）として消去を防止するためである。このＩＤとパスワードの入力には、例えば、ファンクションキーＦ１と押しボタン１２Ｂとの組み合わせによりパスワード入力画面を表示部１１に表示させて行う。
【００３４】
演算制御部２０はその表示形態に関するデータをＲＡＭ２４Ｂに出力し、このＲＡＭ２４Ｂに表示形態に関する情報が記憶される。
【００３５】
演算制御部２０には、また、担当者の顔写真画像に対応する画像データがＲＡＭ２４Ｂに記憶され、この顔写真画像はデータ入出力部２５を介して入力される。ここでは、演算制御部２０は、休止スイッチ１２Ａを操作すると、測量作業モードの実行を休止して、図３（ｄ）に示すように、担当者の顔写真画像を表示部１１に表示させる機能を有する。
【００３６】
これらの図３（ａ）〜図３（ｄ）に示す表示形態に関する情報は、ＲＡＭ２４Ｂの所定領域に上書きすることによって図３（ａ）に示す表示形態に関する情報から図３（ｄ）に示す表示形態に関する情報に順次書き換えるようにしても良いし、ＲＡＭ２４Ｂの他の領域にそれぞれ新たに書き込み別々の記憶領域に記憶させておいても良い。
【００３７】
ここでは、測量装置１の顧客への販売後は、ＲＡＭ２４Ｂには表示形態に関する情報として図３（ｃ）に示す表示形態に関する情報と図３（ｄ）に示す表示形態に関する情報とが記憶保存されているものとして、以後説明する。
【００３８】
図４に示すように、スイッチ２をオンすると（Ｓ.１）、演算制御部２０により販売店、ユーザー等のロゴマーク、会社名称、所属部署、電話番号等が図３（ｃ）に示すように表示される（Ｓ.２）。ついで、演算制御部２０は所定時間が経過するまで待機する（Ｓ.３）。
【００３９】
これにより、スイッチ２の動作後、一定時間が経過するまで、表示部１１にはそのロゴマーク、会社名称、所属部署、電話番号等の表示形態の表示が持続される。
【００４０】
演算制御部２０は、一定時間経過後に測量画面表示モードとなり、測量装置１を測量可能状態に移行させる。これにより、表示部１１には測量画面が表示される（Ｓ.４）。この測量画面が表示されている状態で測量が実行される。
【００４１】
ついで、演算制御部２０は休止スイッチ１２Ａがオンされたか否かを判断する（Ｓ.５）。休止スイッチ１２Ａがオフの場合、スイッチ２がオフか否かを判断する（Ｓ.６）。スイッチ２がオンの場合、Ｓ.４のステップに戻り、表示部１１に測量作業画面の表示が続行される。
【００４２】
演算制御部２０は、休止スイッチ１２Ａがオンされた場合、担当者の画像を表示部１１に表示させ（Ｓ.７）、Ｓ.５のステップに戻る。演算制御部２０は、休止スイッチ１２Ａがオフされるまで、この担当者の画像の表示状態を維持させる。
【００４３】
すなわち、演算制御部２０はスイッチ２の操作に連動して記憶部２４に記憶されている特有の表示形態を予め表示部１１に表示させかつ表示させてから所定時間経過後に自動的に測量可能状態に移行させ、休止スイッチ１２Ａの操作により表示形態を表示部１１に表示させる表示制御手段として機能する。
【００４４】
演算制御部２０は、休止スイッチ１２Ａがオフされると、スイッチ２がオンかオフかを判断し（Ｓ.６）、スイッチ２がオンの場合、Ｓ.４に戻って、測量画面を表示させ、スイッチ２がオフの場合、測量作業を終了する。
【図面の簡単な説明】
【００４５】
【図１】測量装置の一例を示す斜視図である。
【図２】本発明に係わる測量装置のブロック回路図である。
【図３】本発明の表示部に表示される特有の表示形態の説明図であって、（ａ）は製造会社のシンボルを表示するロゴマークを表示させた状態を示す説明図、（ｂ）は販売会社のシンボルを表示するロゴマークを表示させた状態を示す説明図、（ｃ）は購入者側の会社名のシンボルを表示するロゴマークを表示させた状態を示す説明図、（ｄ）は特有の表示形態として担当者の顔写真画像を表示した状態を示す説明図である。
【図４】本発明に係わる測量装置の作用を説明するためのフローチャートである。
【符号の説明】
【００４６】
１…測量装置
１１…表示部
２０…演算制御部（表示制御手段）
【図１】
2005351834.tif 000003
【図２】
2005351834.tif 000004
【図３】
2005351834.tif 000005
【図４】
2005351834.tif 000006